(57)【要約】  【課題】所望のタイミングで受信内容を知らせることが可能な技術を提供する。  【解決手段】通信装置１は、入力されたテキストデータを音声データに変換するテキスト−音声変換部１０７と、電子メールを送受信するとともに、受信した電子メールから所定形式で記述されている再生日時を取得して、この再生日時に対応付けて電子メールをメール記憶部１０９に記憶する電子メーラ部１０４と、現在日時に対応付けられてメール記憶部１０９に記憶されている電子メールをテキスト−音声変換部１０７に入力して音声データに変換し、オーディオ出力部１０８を介してスピーカ５からこの音声データを出力する主制御部１１１と、を有する。【選択図】図２
2010140368.tif 000002
【特許請求の範囲】
【請求項１】
スピーカあるいはスピーカ端子を備えた通信装置であって、
入力されたテキストデータを音声データに変換するテキスト−音声変換手段と、
ネットワークを介して第一のテキストデータを受信するテキスト受信手段と、
前記第一のテキストデータから、所定形式で記述されている再生日時を取得する再生日時取得手段と、
前記再生日時取得手段により前記第一のテキストデータから取得された再生日時に対応付けて当該第一のテキストデータを記憶するテキスト記憶手段と、
現在日時に対応付けられて前記テキスト記憶手段に記憶されている前記第一のテキストデータを前記テキスト−音声変換手段に入力して音声データに変換し、当該音声データを前記スピーカあるいはスピーカ端子から出力する主制御手段と、を有する
ことを特徴とする通信装置。
【請求項２】
請求項１に記載の通信装置であって、
前記主制御手段は、
前記再生日時取得手段により前記第一のテキストデータから取得された再生日時に再生取消しの指示が付加されている場合に、当該再生日時に対応付けられて前記テキスト記憶手段に記憶されている当該第一のテキストデータを前記テキスト記憶手段から削除する
ことを特徴とする通信装置。
【請求項３】
請求項１又は２に記載の通信装置であって、
入力されたアドレスに前記ネットワークを介してアクセスして、第二のテキストデータを取得するテキスト取得手段をさらに有し、
前記主制御手段は、
現在日時に対応付けられて前記テキスト記憶手段に記憶されている前記第一のテキストデータに、所定形式で記述されているアドレスが含まれているか否かを判断し、当該アドレスが含まれているならば、当該アドレスを前記テキスト取得手段に入力して前記第二のテキストデータを取得し、当該第二のテキストデータを前記テキスト−音声変換手段に入力して音声データに変換し、当該音声データを前記スピーカあるいはスピーカ端子から出力する
ことを特徴とする通信装置。
【請求項４】
請求項１又は２に記載の通信装置であって、
キーワードとアドレスとの対応関係を記憶するアドレス記憶手段をさらに有し
前記主制御手段は、
現在日時に対応付けられて前記テキスト記憶手段に記憶されている前記第一のテキストデータに、所定形式で記述されているキーワードが含まれているか否かを判断し、当該キーワードが含まれているならば、当該キーワードに対応付けられて前記アドレス記憶手段に記憶されているアドレスを前記テキスト取得手段に入力して前記第二のテキストデータを取得し、当該第二のテキストデータを前記テキスト−音声変換手段に入力して音声データに変換し、当該音声データを前記スピーカあるいはスピーカ端子から出力する
ことを特徴とする通信装置。
【請求項５】
請求項３又は４に記載の通信装置であって、
前記主制御手段は、
前記第一のテキストデータにおける前記所定形式の記述の位置で、当該第一のテキストデータの、前記テキスト−音声変換手段への入力を中断して、前記第二のテキストデータを前記テキスト−音声変換手段に入力し、当該第二のテキストデータの、前記テキスト−音声変換手段への入力終了後に、当該第一のテキストデータの、前記テキスト−音声変換手段への入力を再開する
ことを特徴とする通信装置。
【請求項６】
請求項３乃至５の何れか一項に記載の通信装置であって、
前記アドレスは、ＵＲＬであり、
前記第二のテキストデータは、ハイパーテキストデータである
ことを特徴とする通信装置。
【請求項７】
請求項１乃至６の何れか一項に記載の通信装置であって、
前記第一のテキストデータは、電子メールであり、
前記再生日時取得手段は、
前記電子メールの主題から、前記所定形式で記述されている再生日時を取得する
ことを特徴とする通信装置。
【発明の詳細な説明】
【技術分野】
【０００１】
本発明は、通信装置に関し、特に音声出力機能を備えた通信装置に関する。
【背景技術】
【０００２】
特許文献１には、電子メールの送受信内容を簡単に把握できるメール受信装置が開示されている。このメール受信装置は、受信した電子メールのうち、入力されたメールアドレスの電子メールの内容を音声信号に変換して出力する。
【特許文献１】特開２００１−５６３３号公報
【発明の開示】
【発明が解決しようとする課題】
【０００３】
電子メールによって、会議、出張、訪問等のイベントの開催通知を受けることがある。特許文献１に記載のメール受信装置によれば、電子メールの内容を音声で確認することができるので便利である。しかし、電子メールの内容を確認するタイミングによっては、内容を確認してからイベント開催までに時間が空き、イベントの存在を忘れてしまうことがある。特許文献１に記載のメール受信装置はこの点を考慮していない。
【０００４】
本発明は上記事情に鑑みてなされたものであり、本発明の目的は、所望のタイミングで受信内容を知らせることが可能な技術を提供することにある。
【課題を解決するための手段】
【０００５】
上記課題を解決するために、本発明の通信装置は、電子メール等のテキストデータを受信して、このテキストデータから、所定形式で記述されている再生日時を取得する。そして、再生日時になったならば、テキストデータを音声データに変換して出力する。
【０００６】
例えば、本発明の通信装置は、
スピーカあるいはスピーカ端子を備えた通信装置であって、
入力されたテキストデータを音声データに変換するテキスト−音声変換手段と、
ネットワークを介して第一のテキストデータを受信するテキスト受信手段と、
前記第一のテキストデータから、所定形式で記述されている再生日時を取得する再生日時取得手段と、
前記再生日時取得手段により前記第一のテキストデータから取得された再生日時に対応付けて当該第一のテキストデータを記憶するテキスト記憶手段と、
現在日時に対応付けられて前記テキスト記憶手段に記憶されている前記第一のテキストデータを前記テキスト−音声変換手段に入力して音声データに変換し、当該音声データを前記スピーカあるいはスピーカ端子から出力する主制御手段と、を有する。
【発明の効果】
【０００７】
本発明によれば、所望のタイミングで受信内容を知らせることが可能となる。
【発明を実施するための最良の形態】
【０００８】
以下、本発明の実施の形態を説明する。
【０００９】
図１は、本実施の形態に係る通信装置１を含む通信システムの概略図である。
【００１０】
図示するように、本実施の形態に係る通信装置１は、ＬＡＮ７を介して収容するＰＣ等のＩＰ端末３、アナログ電話線８を介して収容するアナログ電話機、ＦＡＸ等のアナログ端末４、および無線ＬＡＮ等の無線回線を介して収容する図示していない無線端末等を、ＯＮＵ（Ｏｐｔｉｃａｌ  Ｎｅｔｗｏｒｋ  Ｕｎｉｔ）等の回線終端装置２を介して、光ファイバ通信加入者網等のＷＡＮ６に接続するゲートウェイである。なお、ＯＮＵは、通信装置１に内蔵してもよい。
【００１１】
また、本実施の形態に係る通信装置１は、電子メール機能およびＷｅｂブラウズ機能を備えている。この通信装置１は、受信した電子メールの再生日時を特定し、特定した再生日時に、この電子メールの本文（テキストデータ）を音声データに変換してスピーカ５から出力する。また、電子メールでＵＲＬあるいはキーワードが指定されているならば、このＵＲＬのＷｅｂサイトあるいはキーワードにより特定されるＵＲＬのＷｅｂサイトにアクセスしてＷｅｂデータ（ハイパーテキストデータ）をダウンロードし、このＷｅｂデータを音声データに変換してスピーカ５から出力する。
【００１２】
図２は、本実施の形態に係る通信装置１の概略構成図である。
【００１３】
図示するように、通信装置１は、ＷＡＮインターフェース部１０１と、ＬＡＮインターフェース部１０２と、ＦＸＳ（Ｆｏｒｅｉｇｎ  Ｅｘｃｈａｎｇｅ  Ｓｕｂｓｃｒｉｂｅｒ）インターフェース部１０３と、電子メーラ部１０４と、Ｗｅｂブラウザ部１０５と、ゲートウェイ処理部１０６と、テキスト−音声変換部１０７と、オーディオ出力部１０８と、メール記憶部１０９と、アドレス記憶部１１０と、主制御部１１１と、これ等の各部１０１〜１１１を相互接続する内部バス１１２と、を有する。
【００１４】
ＷＡＮインターフェース部１０１は、回線終端装置２を介してＷＡＮ６とデータの送受信を行うためのインターフェースである。
【００１５】
ＬＡＮインターフェース部１０２は、ＬＡＮ７を介してＩＰ端末３とデータの送受信を行うためのインターフェースである。なお、図２では、ＬＡＮインターフェース部１０２を複数示しているが、通信装置１が備えるＬＡＮインターフェース部１０２は一つでもよい。
【００１６】
ＦＸＳインターフェース部１０３は、アナログ電話線８を介してアナログ端末４とデータの送受信を行うためのインターフェースである。なお、図２では、ＦＸＳインターフェース部１０３を一つ示しているが、通信装置１が備えるＦＸＳインターフェース部１０３は複数であってもよい。
【００１７】
電子メーラ部１０４は、ＰＯＰ３、ＳＭＴＰ等のプロトコルに従い電子メールの送受信を行う。
【００１８】
Ｗｅｂブラウザ部１０５は、ＨＴＴＰ等のプロトコルに従い、ＷＡＮ６上の、図示していないＷｅｂサイトからＷｅｂデータをダウンロードする。
【００１９】
ゲートウェイ処理部１０６は、ＷＡＮインターフェース部１０１、ＬＡＮインターフェース部１０２、およびＦＸＳインターフェース部１０３間のデータ中継処理を行う。具体的には、ＷＡＮインターフェース部１０１、ＬＡＮインターフェース部１０２、あるいはＦＸＳインターフェース部１０３により受信した自通信装置１以外を宛先とするデータを、このデータの宛先に対応するＷＡＮインターフェース部１０１、ＬＡＮインターフェース部１０２、あるいはＦＸＳインターフェース部１０３から送信する。
【００２０】
テキスト−音声変換部１０７は、入力されたテキストデータを音声データに変換する。
【００２１】
オーディオ出力部１０８は、入力された音声データを、図示していないスピーカ端子に接続されたスピーカ５から出力する。なお、スピーカ５は、通信装置１に内蔵されていてもよい。
【００２２】
メール記憶部１０９には、電子メールのメール本文（テキストデータ）が、送信者および再生日時に対応付けられて記憶される。
【００２３】
アドレス記憶部１１０には、複数のキーワードが、それぞれ、そのキーワードに関連するＷｅｂサイトのＵＲＬに対応付けられて予め記憶されている。
【００２４】
主制御部１１１は、通信装置１の各部１０１〜１１０を統括的に制御する。また、通信装置１の各部１０１〜１１０と連携して、後述するテキスト読み上げ処理を行う。
【００２５】
図３および図４は、本実施の形態に係る通信装置１のテキスト読み上げ処理を説明するためのフロー図である。
【００２６】
先ず、電子メーラ部１０４は、ＷＡＮインターフェース部１０１を介してＷＡＮ６から、あるいはＬＡＮインターフェース部１０２を介してＩＰ端末３から、自通信装置１宛ての電子メールを受信すると（Ｓ１０１でＹＥＳ）、この電子メールに再生日時の指定があるか否かを判断する（Ｓ１０２）。
【００２７】
図５（Ａ）は、再生日時の指定を含む電子メールの一例を模式的に表した図である。図示するように、電子メールは、主題（タイトル）２０１、宛先２０２、送信者２０３、およびメール本文２０４を含むテキストデータで構成される。本実施の形態では、電子メールの主題２０１に、所定形式で記述された再生日時２０５が含まれているか否かで、再生日時の指定の有無を判断している。図５（Ａ）に示す例では、年月日を示す数字列と時刻を示す数字列とをアンダーラインで連結した形式で再生日時２０５を記述している。
【００２８】
受信した電子メールに再生日時２０５の指定がない場合（Ｓ１０２でＮＯ）、電子メーラ部１０４は、この電子メールのメール本文２０４を読み上げ対象メールに設定してＳ１０７に進む。一方、受信した電子メールに再生日時２０５の指定がある場合（Ｓ１０２でＹＥＳ）、電子メーラ部１０４は、この電子メールに再生取消しの指示があるか否かをさらに判断する（Ｓ１０３）。
【００２９】
図５（Ｂ）は、再生取消しの指定を含む電子メールの一例を模式的に表した図である。図５（Ｂ）において、図５（Ａ）に示す電子メールと同じものには同じ符号を付している。本実施の形態では、電子メールの主題２０１に、所定形式で記述された再生日時２０５に続けて、所定形式で記述された再生取消しの指示２１０が含まれているか否かで、再生取消しの指示の有無を判断している。図５（Ｂ）に示す例では、文字列「ｃａｎｃｅｌ」の先頭にアンダーラインを付加した形式で再生取消しの指示２１０を記述している。
【００３０】
受信した電子メールに再生取消しの指示２１０がない場合（Ｓ１０３でＮＯ）、電子メーラ部１０４は、この電子メールのメール本文２０４を、この電子メールの送信者２０３および再生日時２０５に対応付けてメール記憶部１０９に記憶する（Ｓ１０４）。その後、電子メーラ部１０４は、この電子メールの登録が完了したことを通知するための電子メールを返信する（Ｓ１１０）。
【００３１】
一方、受信した電子メールに再生取消しの指示２１０がある場合（Ｓ１０３でＹＥＳ）、電子メーラ部１０４は、この電子メールの送信者２０３および再生日時２０５に対応付けられてメール記憶部１０９に記憶されているこの電子メールのメール本文２０４を、メール記憶部１０９から削除する（Ｓ１０５）。その後、電子メーラ部１０４は、この電子メールの削除が完了したことを通知するための電子メールを返信する（Ｓ１１０）。
【００３２】
また、主制御部１１１は、例えば定期的にメール記憶部１０９を参照し、再生日時２０５が到来した電子メールがあるか否かを判断する（Ｓ１０６）。再生日時２０５が到来した電子メールがあるならば（Ｓ１０６でＹＥＳ）、主制御部１１１は、この電子メールのメール本文２０４を読み上げ対象メールに設定してＳ１０７に進む。
【００３３】
Ｓ１０７において、主制御部１１１は、Ｓ１０２あるいはＳ１０６での処理により設定された読み上げ対象メールから、所定形式で記述されているＵＲＬを検索する。図５（Ａ）に示す例では、電子メールのメール本文２０４に、ＵＲＬ２０７を、それがＵＲＬであることを示すタグで囲む形式で記述している。所定形式で記述されているＵＲＬ２０７を検索できたならば（Ｓ１０７でＹＥＳ）、Ｓ１１１（図４）に進む。
【００３４】
一方、所定形式で記述されているＵＲＬ２０７を検索できなかったならば（Ｓ１０７でＮＯ）、主制御部１１１は、読み上げ対象メールから、所定形式で記述されているキーワードをさらに検索する（Ｓ１０８）。図５（Ａ）に示す例では、電子メールのメール本文２０４に、キーワード２０９を、それがキーワードであることを示すタグで囲む形式で記述している。所定形式で記述されているキーワード２０９を検索できたならば（Ｓ１０８でＹＥＳ）、Ｓ１１４（図４）に進む。
【００３５】
一方、所定形式で記述されているキーワード２０９を検索できなかったならば（Ｓ１０８でＮＯ）、主制御部１１１は、読み上げ対象メールのうち、テキスト−音声変換部１０７への未入力部分の先頭から最後までのテキストデータを、テキスト−音声変換部１０７に入力する。これを受けて、テキスト−音声変換部１０７は、入力されたテキストデータを音声データに変換し、この音声データをオーディオ出力部１０８から出力する（Ｓ１０９）。その後、主制御部１１１は、電子メーラ部１０４に、読み上げ対象メールに対応付けられてメール記憶部１０９に記憶されている送信者２０３を通知して、再生完了の通知を指示する。これを受けて、電子メーラ部１０４は、この送信者２０３に対して、再生完了を通知するための電子メールを送信する（Ｓ１１０）。
【００３６】
Ｓ１１１において、主制御部１１１は、読み上げ対象メールのうち、テキスト−音声変換部１０７への未入力部分の先頭から、所定形式で記述されているＵＲＬ２０７までのテキストデータを、テキスト−音声変換部１０７に入力する。これを受けて、テキスト−音声変換部１０７は、入力されたテキストデータを音声データに変換し、この音声データをオーディオ出力部１０８から出力する。図５（Ａ）に示す例では、メール本文２０４の先頭から、所定形式で記述されているＵＲＬ２０７までのテキストデータ２０６が音声データに変換され、この音声データがオーディオ出力部１０８から出力される。
【００３７】
次に、主制御部１１１は、Ｗｅｂブラウザ部１０５に、Ｓ１０７で検出したＵＲＬ２０７を通知する。これを受けて、Ｗｅｂブラウザ部１０５は、通知されたＵＲＬ２０７により特定されるＷｅｂサイトにアクセスして、Ｗｅｂデータをダウンロードする。そして、このＷｅｂデータを主制御部１１１に渡す（Ｓ１１２）。
【００３８】
主制御部１１１は、Ｗｅｂブラウザ部１０５からＷｅｂデータを受け取ると、このＷｅｂデータのうち、テキストデータをテキスト−音声変換部１０７に入力する。これを受けて、テキスト−音声変換部１０７は、入力されたテキストデータを音声データに変換し、この音声データをオーディオ出力部１０８から出力する（Ｓ１１３）。その後、Ｓ１０７に戻る。
【００３９】
また、Ｓ１１４において、主制御部１１１は、読み上げ対象メールのうち、テキスト−音声変換部１０７への未入力部分の先頭から、所定形式で記述されているキーワード２０９までのテキストデータを、テキスト−音声変換部１０７に入力する。これを受けて、テキスト−音声変換部１０７は、入力されたテキストデータを音声データに変換し、この音声データをオーディオ出力部１０８から出力する。図５（Ａ）に示す例では、メール本文２０４において、所定形式で記述されているＵＲＬ２０７から、所定形式で記述されているキーワード２０９までのテキストデータ２０８が音声データに変換され、この音声データがオーディオ出力部１０８から出力される。
【００４０】
次に、主制御部１１１は、アドレス記憶部１１０を参照し、Ｓ１０８で検出したキーワード２０９に対応付けられているＵＲＬを特定する（Ｓ１１５）。そして、Ｗｅｂブラウザ部１０５に、この特定したＵＲＬを通知する。これを受けて、Ｗｅｂブラウザ部１０５は、通知されたＵＲＬにより特定されるＷｅｂサイトにアクセスして、Ｗｅｂデータをダウンロードする。そして、このＷｅｂデータを主制御部１１１に渡す（Ｓ１１６）。
【００４１】
主制御部１１１は、Ｗｅｂブラウザ部１０５からＷｅｂデータを受け取ると、このＷｅｂデータのうち、テキストデータをテキスト−音声変換部１０７に入力する。これを受けて、テキスト−音声変換部１０７は、入力されたテキストデータを音声データに変換し、この音声データをオーディオ出力部１０８から出力する（Ｓ１１７）。その後、Ｓ１０７に戻る。
【００４２】
次に、図１に示す通信システムの動作例を説明する。
【００４３】
図６は、図１に示す通信システムの第一の動作例を説明するためのシーケンス図である。この例では、ＩＰ端末３から通信装置１に、図５（Ａ）に示す電子メールが送信された場合の動作を示している。なお、ここでは、ＩＰ端末３が通信装置１に電子メールを送信しているが、例えば図示していない、無線端末やＩＰ端末から、ＷＡＮ６を介して通信装置１に電子メールを送信することもできる。
【００４４】
先ず、ＩＰ端末３は、ユーザの指示に従い、再生日時２０５が指定された電子メールを通信装置１に送信する（Ｓ２０１）。これを受けて、通信装置１は、この電子メールのメール本文２０４を、この電子メールの送信者２０３および再生日時２０５に対応付けて保存する（Ｓ２０２）。また、通信装置１は、この電子メールの送信者２０３（ＩＰ端末３）に、登録が完了したことを通知するための電子メールを送信する（Ｓ２０３）。
【００４５】
さて、通信装置１は、指定された再生日時２０５が到来すると（Ｓ２０４）、メール本文２０４のうち、先頭から、所定形式で記述されたＵＲＬ２０７までのテキストデータ２０６を音声データに変換し、この音声データを出力する（Ｓ２０５）。
【００４６】
次に、通信装置１は、所定形式で記述されたＵＲＬ２０７、つまりＵＲＬであることを示すタグで囲まれた記述「ｈｔｔｐ：／／ｗｗｗ．ｋａｉｓｙａ．ｃｏｍ／」を特定する（Ｓ２０６）。そして、「ｈｔｔｐ：／／ｗｗｗ．ｋａｉｓｙａ．ｃｏｍ／」により特定されるＷＡＮ６上のＷｅｂサイトにアクセスして（Ｓ２０７）、Ｗｅｂデータをダウンロードする（Ｓ２０８）。それから、通信装置１は、このＷｅｂデータのうちのテキストデータを音声データに変換し、この音声データを出力する（Ｓ２０９）。
【００４７】
次に、通信装置１は、メール本文２０４のうち、所定形式で記述されたＵＲＬ２０７から、所定形式で記述されたキーワード２０９までのテキストデータ２０８を音声データに変換し、この音声データを出力する（Ｓ２１０）。
【００４８】
次に、通信装置１は、所定形式で記述されたキーワード２０９の内容、つまりキーワードであることを示すタグで囲まれた記述「天気予報」を特定する（Ｓ２１１）。そして、「天気予報」に対応付けられてアドレス記憶部１１０に記憶されているＵＲＬをさらに特定する（Ｓ２１２）。それから、通信装置１は、この特定したＵＲＬにより特定されるＷＡＮ６上のＷｅｂサイトにアクセスして（Ｓ２１３）、Ｗｅｂデータをダウンロードする（Ｓ２１４）。そして、このＷｅｂデータのテキスト部分のデータを音声データに変換し、この音声データを出力する（Ｓ２１５）。
【００４９】
次に、通信装置１は、メール本文２０４中のすべてのテキストデータの音声変換が完了したことを確認して、この電子メールの送信者２０３（ＩＰ端末３）に、再生完了を通知するための電子メールを送信する（Ｓ２１６）。
【００５０】
図７は、図１に示す通信システムの第二の動作例を説明するためのシーケンス図である。この例では、ＩＰ端末３から通信装置１に、図５（Ｂ）に示す電子メールが送信された場合の動作を示している。
【００５１】
先ず、ＩＰ端末３は、ユーザの指示に従い、図６のＳ２０１で送信した電子メールの主題２０１に記述されている再生日時２０５に再生取消しの指示２１０を付加して、この電子メールを再送する（Ｓ３０１）。
【００５２】
これを受けて、通信装置１は、この電子メールの送信者２０３および再生日時２０５に対応付けられている電子メールであって、登録されたメール本文２０４の内容がこの電子メールのメール本文２０４と一致する電子メールを、自通信装置１に保存されている電子メールの中から検索して削除する（Ｓ３０２）。
【００５３】
その後、通信装置１は、この電子メールの送信者２０３（ＩＰ端末３）に、削除が完了したことを通知するための電子メールを送信する（Ｓ３０３）。
【００５４】
以上、本実施の形態について説明した。
【００５５】
本実施の形態の通信装置１は、受信した電子メールの主題２０１から、所定形式で記述されている再生日時２０５を取得して、この再生日時２０５に対応付けて、この電子メールのメール本文２０４を保存する。そして、再生日時２０５が到来したならば、このメール本文２０４を音声データに変換して出力する。したがって、電子メールの送信者は、所望のタイミングで、音声により、電子メールの受信者に電子メールの内容を知らせることが可能となる。
【００５６】
また、本実施の形態の通信装置１は、受信した電子メールの主題２０１から取得した再生日時２０５に、所定形式で記述されている再生取消しの指示２０１が付加されているならば、この再生日時２０５に対応付けられて自通信装置１に保存されているメール本文２０４であって、この電子メールのメール本文２０４と内容が一致するメール本文２０４を削除する。したがって、電子メールの送信者は、電子メールの主題２０１に再生取消しの指示２１０を追記して、この電子メールを再送することにより、この電子メールの内容の音声による通知を簡単に取り消すことができる。
【００５７】
また、本実施の形態の通信装置１は、再生日時２０５が到来した電子メールのメール本文２０４に、所定形式で記述されたＵＲＬ２０７が含まれている場合に、このＵＲＬ２０７により特定されるＷｅｂサイトにアクセスしてＷｅｂデータをダウンロードし、このＷｅｂデータのテキスト部分を音声データに変換して出力する。したがって、電子メールの送信者は、電子メールの受信者に知らせたい内容が掲載されたＷｅｂサイトのＵＲＬ２０７を、電子メールのメール本文２０４に所定の形式で記述しておくことにより、この内容を電子メールのメール本文２０４に詳細に記載する必要がなくなり、利便性が向上する。
【００５８】
また、本実施の形態の通信装置１は、再生日時２０５が到来した電子メールのメール本文２０４に、所定形式で記述されたキーワード２０９が含まれている場合に、このキーワード２０９に対応付けられて予め記憶されているＵＲＬにより特定されるＷｅｂサイトにアクセスしてＷｅｂデータをダウンロードし、このＷｅｂデータのテキスト部分を音声データに変換して出力する。したがって、電子メールの送信者は、電子メールの受信者に知らせたい内容のキーワード２０９を電子メールのメール本文２０４に所定の形式で記述しておくことにより、この内容を電子メールのメール本文２０４に詳細に記載する必要がなくなり、利便性が向上する。
【００５９】
また、本実施の形態の通信装置１は、電子メールのメール本文２０４中に、所定形式で記述されたＵＲＬ２０７あるいはキーワード２０９がある場合に、これらのメール本文２０４中における記述位置でメール本文２０４の音声データへの変換を中断して、このＵＲＬ２０７あるいはこのキーワード２０９に対応するＵＲＬにより特定されるＷｅｂサイトからダウンロードしたＷｅｂデータの音声データへの変換を開始する。そして、Ｗｅｂデータの音声データへの変換が終了したならば、メール本文２０４の音声データへの変換を再開する。したがって、電子メールの送信者は、電子メールの受信者に知らせたい内容が掲載されたＷｅｂサイトのＵＲＬ２０７やキーワード２０９を所定の形式で電子メールのメール本文２０４中の適切な位置に記述しておくことにより、自身のコメント等を添えて知らせたいＷｅｂサイトの内容を電子メールの受信者に音声で通知することが可能となり、利便性がさらに向上する。
【００６０】
なお、本発明は上記実施の形態に限定されるものではなく、その要旨の範囲内で数々の変形が可能である。
【００６１】
例えば、上記実施の形態において、通信装置１は、ＷｅｂサイトからダウンロードしたＷｅｂデータにおいて、音声再生のためのプラグイン（音声再生プラグインと呼ぶ）が指定されている場合、Ｗｅｂデータの音声データへの変換をすることなく、音声再生プラグインの再生データを出力するようにしてもよい。
【００６２】
具体的には、Ｗｅｂブラウザ部１０５は、ＷｅｂサイトからダウンロードしたＷｅｂデータに音声再生プラグインの起動が指定されているか否かを調べ、音声再生プラグインの起動が指定されているならば、Ｗｅｂデータを主制御部１１１に渡す代わりに、この音声再生プラグインの再生データを主制御部１１１に渡す。これを受けて、主制御部１１１は、Ｗｅｂブラウザ部１０５から受け取った再生データをオーディオ出力部１０８から出力する。
【００６３】
また、上記実施の形態において、通信装置１は、電子メールのメール本文２０４中に所定形式で記述されているキーワード２０９に対応するＵＲＬが予め登録されていない場合、所定の検索エンジンサイトにアクセスして、このキーワード２０９にヒットする何れかのＷｅｂサイトからＷｅｂデータをダウンロードし、このＷｅｂデータを音声データに変換し出力するようにしてもよい。
【００６４】
具体的には、主制御部１１１は、電子メールのメール本文２０４から抽出したキーワード２０９に対応するＵＲＬがアドレス記憶部１１０に記憶されていない場合、Ｗｅｂブラウザ部１０５に、このキーワード２０９を通知して検索を指示する。これを受けて、Ｗｅｂブラウザ部１０５は、デフォルト設定されている検索エンジンサイトにアクセスしてキーワード２０９の検索を実施して、その検索結果を示す画面のＷｅｂデータをダウンロードする。そして、このＷｅｂデータに記述されている何れかのＵＲＬ（例えば最初に記述されているＵＲＬ）にアクセスして、ＷｅｂサイトからＷｅｂデータをダウンロードする。さらに、このＷｅｂデータのテキスト部分を音声データに変換し、この音声データをオーディオ出力部１０８から出力する。
【００６５】
また、上記実施の形態において、電子メールのメール本文２０４の音声データへの変換を繰り返し実施できるようにするために、例えば毎月の決められた日時、毎日の決められた時刻、あるいは毎週の決められた曜日の時刻というような形式で再生日時２０５を指定できるようにしてもよい。
【００６６】
また、上記実施の形態において、再生日時２０５または再生取消しの指示２１０は電子メールの主題２０１に記述されているが、他の記述と識別可能な形式（例えば電子メールのメール本文２０４の冒頭に識別子とともに記述される等）であれば、電子メールのメール本文２０４に記述されていてもよい。
【００６７】
また、上記実施の形態において、通信装置１は、音声データに変換するテキストデータおよびその再生日時２０５の指定に電子メールを用いている。しかし、本発明はこれに限定されない。例えば、通信装置１に、Ｗｅｂサーバ機能を搭載して、Ｗｅｂ上で設定画面を公開し、この設定画面を介して、ＩＰ端末３等のユーザから、再生日時、送信者のアドレス、および音声データに変換するテキストデータを受け付けるようにしてもよい。
【００６８】
また、上記実施の形態において、通信装置１の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよい。あるいは、ＤＳＰ（Ｄｉｇｉｔａｌ  Ｓｉｇｎａｌ  Ｐｒｏｃｅｓｓｏｒ）によりソフト的に実行されるものでもよい。もしくは、ＣＰＵ、メモリ、ＨＤＤ、ＤＶＤ−ＲＯＭ等の補助記憶装置、モデム、およびＮＩＣ（Ｎｅｔｗｏｒｋ  Ｉｎｔｅｒｆａｃｅ  Ｃａｒｄ）を備えたＰＣ（Ｐｅｒｓｏｎａｌ  Ｃｏｍｐｕｔｅｒ）等の汎用コンピュータにおいて、ＣＰＵが、所定のプログラムを補助記憶装置からメモリ上にロードして実行することにより実現されるものでもよい。
【００６９】
また、上記実施の形態では、通信装置１として、ＩＰ端末３およびアナログ端末４をＷＡＮ６に接続するゲートウェイを例に取り説明したが、本発明はこれに限定されない。本発明は、例えばＩＰ端末３にも適用可能である。
【図面の簡単な説明】
【００７０】
【図１】図１は、本発明の一実施の形態に係る通信装置１を含む通信システムの概略図である。
【図２】図２は、本発明の一実施の形態に係る通信装置１の概略構成図である。
【図３】図３は、本発明の一実施の携帯に係る通信装置１のテキスト読み上げ処理を説明するためのフロー図である。
【図４】図４は、本発明の一実施の携帯に係る通信装置１のテキスト読み上げ処理を説明するためのフロー図である。
【図５】図５（Ａ）は、再生日時の指定を含む電子メールの一例を模式的に表した図であり、図５（Ｂ）は、再生取消しの指定を含む電子メールの一例を模式的に表した図である。
【図６】図６は、図１に示す通信システムの第一の動作例を説明するためのシーケンス図である。
【図７】図７は、図１に示す通信システムの第二の動作例を説明するためのシーケンス図である。
【符号の説明】
【００７１】
１：通信装置、２：回線終端装置、３：ＩＰ端末、４：アナログ端末、５：スピーカ、６：ＷＡＮ、７：ＬＡＮ、８：アナログ電話線、１０１：ＷＡＮインターフェース部、１０２：ＬＡＮインターフェース部、１０３：ＦＸＳインターフェース部、１０４：電子メーラ部、１０５：Ｗｅｂブラウザ部、１０６：ゲートウェイ処理部、１０７：テキスト−音声変換部、１０８：オーディオ出力部、１０９：メール記憶部、１１０：アドレス記憶部、１１１：主制御部、１１２：内部バス
【図１】
2010140368.tif 000003
【図２】
2010140368.tif 000004
【図３】
2010140368.tif 000005
【図４】
2010140368.tif 000006
【図５】
2010140368.tif 000007
【図６】
2010140368.tif 000008
【図７】
2010140368.tif 000009